(57)【要約】【課題】ハンドル操作を常に楽な姿勢で容易に行うことのできる手押し車を提供する。【解決手段】ハンドル３が長手方向両端側から中央側に向かって下り傾斜をなすように形成されていることから、ハンドル３を把持する手が親指側に曲がり、腕が肘の関節により外側に広がろうとする。これにより、脇が開いて腕が曲がり、腕を前後に動かしやすくなる。その結果、例えば急な方向転換や後退の際、ハンドルに腕の力が伝わりやすくなり、ハンドル操作を常に楽な姿勢で容易に行うことができる。【選択図】図１
2014125114.tif 000002
【特許請求の範囲】
【請求項１】
車輪が設けられた手押し車本体と、手押し車本体の幅方向に延びるハンドルとを備え、使用者がハンドルを把持して手押し車本体を押しながら走行するようにした手押し車において、
前記ハンドルを長手方向両端側から中央側に向かって下り傾斜をなすように形成した
ことを特徴とする手押し車。
【請求項２】
前記ハンドルを、長手方向一端側と他端側とのなす角度が１７９°以上６０°以下になるように形成した
ことを特徴とする請求項１記載の手押し車。
【請求項３】
前記ハンドルの上端から走行面までの高さが使用対象者の平均身長の１／２±３０ｃｍ以内になるように形成した
ことを特徴とする請求項１または２記載の手押し車。
【発明の詳細な説明】
【技術分野】
【０００１】
本発明は、例えば老人用のハンドカートやベビーカー等として用いられる手押し車に関するものである。
【背景技術】
【０００２】
従来、この種の手押し車としては、車輪が設けられた手押し車本体と、手押し車本体に設けられたハンドルとを備え、使用者がハンドルを把持して手押し車本体を押しながら走行することにより、使用者の体重を支えながら歩行を補助するようにした老人用のハンドカートが知られている（例えば、特許文献１または２参照）。
【先行技術文献】
【特許文献】
【０００３】
【特許文献１】特開２０００−３８１３７号公報
【特許文献２】特開２００８−６７９７１号公報
【発明の概要】
【発明が解決しようとする課題】
【０００４】
ところで、前記手押し車では、ハンドルを押しながら前進するだけでなく、ハンドルを引いて後退したり、ハンドルの両端側を左右反対方向に操作して方向転換するなど、前後左右にハンドル操作が行われる。
【０００５】
しかしながら、前記手押し車のハンドルは、手押し車本体の幅方向に水平に延びる直線状に形成されているため、ハンドルを持つ手の腕が伸びきり脇が閉まった状態になりやすい。このため、例えば急な方向転換や後退の際、ハンドルに腕の力が伝わりにくくなり、ハンドル操作を瞬時に行うことが困難な場合があった。
【０００６】
本発明は前記問題点に鑑みてなされたものであり、その目的とするところは、ハンドル操作を常に楽な姿勢で容易に行うことのできる手押し車を提供することにある。
【課題を解決するための手段】
【０００７】
本発明は前記目的を達成するために、車輪が設けられた手押し車本体と、手押し車本体の幅方向に延びるハンドルとを備え、使用者がハンドルを把持して手押し車本体を押しながら走行するようにした手押し車において、前記ハンドルを長手方向両端側から中央側に向かって下り傾斜をなすように形成している。
【０００８】
これにより、ハンドルが長手方向両端側から中央側に向かって下り傾斜をなすように形成されていることから、ハンドルを把持する手が親指側に曲がり、腕が肘の関節により外側に広がろうとする。これにより、脇が開いて腕が曲がり、腕を前後に動かしやすくなる。その結果、例えば急な方向転換や後退の際、ハンドルに腕の力が伝わりやすくなる。
【発明の効果】
【０００９】
本発明によれば、ハンドルを把持する手の腕が伸びきることがなく、腕を前後に動かしやすくすることができるので、例えば急な方向転換や後退の際、ハンドルに腕の力が伝わりやすくなり、ハンドル操作を常に楽な姿勢で容易に行うことができる。
【図面の簡単な説明】
【００１０】
【図１】本発明の一実施形態を示す手押し車の斜視図
【図２】手押し車の使用状態を示す側面図
【図３】手押し車の使用状態を示すハンドルの要部正面図
【図４】本発明の一実施形態を示すハンドルの要部正面図
【発明を実施するための形態】
【００１１】
図１乃至図３は本発明の一実施形態を示すもので、例えば老人用のハンドカートとして用いられる手押し車を示すものである。
【００１２】
この手押し車は、車輪が設けられた手押し車本体１と、手押し車本体１に設けられた収納バッグ２と、手押し車本体１に設けられたハンドル３とを備え、使用者Ａがハンドル３を把持して手押し車本体１を押しながら走行するものである。
【００１３】
手押し車本体１は、収納バッグ２を囲むように形成された上側フレーム１ａ及び下側フレーム１ｂと、上側フレーム１ａと下側フレーム１ｂとを連結する複数の縦フレーム１ｃとからなり、下側フレーム１ｂには左右の前輪１ｄと左右の後輪１ｅが取り付けられている。この場合、各前輪１ｄは左右方向に回動自在に設けられ、方向転換の際に向きを変えられるようになっている。
【００１４】
収納バッグ２は、上面が開閉可能な袋または箱状の部材からなり、内部に使用者Ａの手荷物や買い物の商品等、任意の物品を収納可能に形成され、手押し車本体１の上側フレーム１ａ及び下側フレーム１ｂの内側に配置されている。
【００１５】
ハンドル３は、手押し車本体１の幅方向に延びる棒状の部材からなり、その両端には下方に向かって手押し車本体１の両側面まで延びる支柱部３ａがそれぞれ設けられている。各支柱部３ａは後方に向かって傾斜するように設けられ、手押し車本体１の上側フレーム１ａ及び下側フレーム１ｂに固定されている。ハンドル３は、長手方向（手押し車本体１の幅方向）中央から両端までそれぞれ同一角度で略Ｖ字状に傾斜するように延びる左右一対の把持部３ｂからなり、長手方向一端側の把持部３ｂと他端側の把持部３ｂとのなす角度θが１７９°以上６０°以下になるように形成されている。また、ハンドル３は、その上端から走行面Ｂまでの高さが使用対象者の平均身長の１／２±３０ｃｍ以内になるように形成されている。使用対象者の平均身長には、例えば使用者の対象年齢の平均値が用いられる。
【００１６】
以上のように構成された手押し車は、老人等の使用者Ａが買い物等に出かける際に使用される。即ち、図２に示すように使用者Ａがハンドル３の各把持部３ｂを両手で把持し、やや前傾した姿勢でハンドル３を押しながら手押し車を走行させることにより、使用者Ａの体重が手押し車によって支えられ、使用者Ａの歩行が補助される。その際、手押し車のハンドル３が長手方向両端側から中央側に向かって下り傾斜をなすように形成されていることから、ハンドル３を把持する手が親指側に曲がり、腕が肘の関節により外側に広がろうとする。これにより、図３に示すように脇が開いて腕が曲がり、腕を前後に動かしやすくなる。その結果、例えば急な方向転換や後退の際、ハンドルに腕の力が伝わりやすくなる。
【００１７】
このように、本実施形態の手押し車によれば、ハンドル３を長手方向両端側から中央側に向かって下り傾斜をなすように形成したので、ハンドル３を把持する手の腕が伸びきることがなく、腕を前後に動かしやすくすることができる。これにより、例えば急な方向転換や後退の際、ハンドルに腕の力が伝わりやすくなり、ハンドル操作を常に楽な姿勢で容易に行うことができる。
【００１８】
この場合、ハンドル３を、長手方向一端側の把持部３ｂと他端側の把持部３ｂとのなす角度θが１７９°以上６０°以下になるように形成したので、角度θが大きすぎてハンドル操作性の効果が不十分になることがなく、角度θが小さすぎて腕が無理な姿勢になることもないという利点がある。
【００１９】
また、ハンドル３の上端から走行面Ｂまでの高さＨが使用対象者の平均身長の１／２±３０ｃｍ以内になるように形成したので、ハンドル３の位置が低すぎて無理な前傾姿勢になることがなく、ハンドル３の位置が高すぎて腕が曲がりずらくなることもないという利点がある。
【００２０】
尚、前記実施形態では、ハンドル３の長手方向中央から両端まで略Ｖ字状に傾斜するように形成したものを示したが、図４の他の実施形態に示すようにハンドル３の長手方向中央部に水平方向に延びる水平部３ｃを設け、その両側にそれぞれ傾斜した把持部３ｂを設けるようにしてもよい。
【００２１】
また、前記実施形態では、老人用のハンドカートを示したが、本発明はベビーカー等の他の種類の手押し車に適用することも可能である。
【符号の説明】
【００２２】
１…手押し車本体、２…収納バッグ、３…ハンドル、Ａ使用者、Ｂ…走行面。
【図１】
2014125114.tif 000003
【図２】
2014125114.tif 000004
【図３】
2014125114.tif 000005
【図４】
2014125114.tif 000006